(57)【要約】【課題】触知図にタッチパネルディスプレイとメイクスイッチパネルを使うことにより、視覚障害者だけでなく、聴覚障害者及び外国人への情報案内盤として、ユニバーサルデザイン触知情報案内盤として広く普及を促進する。【解決手段】タッチパネルディスプレイ表面に透明アクリル板等の表面に点字を表すドットが表示刻まれ、タッチパネル横にメイクスイッチパネルによる、検索スイッチとディスプレイ上の点字案内により、音声案内と同時に案内内容の画像による表示を可能とすることで、聴覚障害者や外国人へも情報案内盤としての役割を行うものとする。【選択図】図１
0003162693.tif 000002
【実用新案登録請求の範囲】
【請求項１】
ユニバーサルデザイン触知情報案内板の最初の画像ベースは近隣の地図情報となる。
この地図データをタッチパネルディスプレイで使用することにより、地図情報内に検索項目の説明画像と音声データを表示し制御することにより、地図と連携した情報を他のディスプレイに表示できるユニバーサルデザイン触知情報案内盤。
【請求項２】
触知図は視覚障害者向けであるが、タッチパネルディスプレイとメイクスイッチパネルを使用することで、視覚障害者と聴覚障害者及び外国人向け多国語での検索表示を可能とするユニバーサルデザイン触地情報案内盤。
【請求項３】
本ユニバーサルデザイン触知情報案内のデータ更新は、ネットワーク回線で可能とする、またＵＳＢフラッシュメモリーでの更新も可能とする、ユニバーサルデザイン触知情報案内盤。
【考案の詳細な説明】
【技術分野】
【０００１】  本考案でのユニバーサルデザイン触知情報案内盤は、本来の触知図とは、視覚障害者向けの点字パネルを使用した施設の案内盤であるが、周辺地域地図と触知情報案内盤設置施設を中心にタッチパネルディスプレイとメイクスイッチを連動させた、視覚障害者と聴覚障害者及び外人向けの、音声誘導装置とメイクスイッチ点字パネルとタッチパネルディスプレイによる画像表示ユニバーサルデザイン触知情報案内盤である。
【背景技術】
【０００２】タッチパネル検索ディスプレイとメイクスイッチ展示パネルを連動させ、音声データと画像データを表示させることにより、地図データと画像・テキスト・音声それぞれのデータを表示しこれをネットワークで変更可能とする。図１は全体の系統図を表示。【０００３】触知情報案内盤の表示画面イメージを図２で表示。地図データとメイクスイッチボタンをリンクさせ、タッチパネル上の地図位置とメイクスイッチボードを同期させる。
図２参考。【０００４】図３はメイクスイッチパネルで近隣の施設案内を点字で表示する。【０００５】タッチパネル上とメイクスイッチパネルのスイッチを押す（選択）することにより、図４のように施設の案内がディスプレイ上の地図データ内に表示される。また別モニターに広告や施設の詳しい内容が表示される。【０００６】現状の触知図と音声誘導装置は図５のような系統で構成されていますが、本発明では触知図部分にタッチパネルディスプレイを使用することで、視覚障害者用の触知情報案内盤を聴覚障害者及び外国人に、視覚データと外国人の母国語での案内を可能とした職知図です。図６
【先行技術文献】
【特許文献】
【０００７】
【特許文献１】特許公開２００５−１２８４２５
【考案の概要】
【考案が解決しようとする課題】
【０００８】  本考案の触知情報案内盤は、視覚障害者だけでなく、聴覚障害者や外国人へのユニバーサルデザイン情報案内盤として、多くの人に利用できる、触知情報案内盤を考案。
【課題を解決するための手段】
【０００９】本考案はタッチパネルディスプレイとメイクスイッチパネルを連動させ、ＳＴＢ（ウインドウズＰＣベース）でデータの検索表示入れ替えが出来るシステムです。
【考案の効果】
【００１０】今までの触知図はスチール製の地図ボード上に点字がプリントされています。視覚障害者は触知図を探して、点字パネルで情報を収集しなければならないなど、情報の内容が限定されていました。触知図に音声誘導装置を組み込み、タッチパネルディスプレイと点字メイクスイッチボードで、音声案内し外人向けには４ヶ国語変換や聴覚障害者にはディスプレイで情報表示をすることにより、多くの人が利用出来るユニバーサルデザイン触知情報案内盤になります。
【図面の簡単な説明】
【００１１】
【図１】本発明の全体系統図
【図２】タッチパネルディスプレイの上面外観図
【図３】メイクスイッチを利用した選択項目用ボード上面外観図
【図４】タッチパネルディスプレイ上の選択画面の表示例
【図５】既存の触知図と音声誘導装置の系統図
【図６】本発明触知図外観図
【考案を実施するための形態】
【００１２】タッチパネルと透明な点字板を複合させるとともに、選択指示ボタンを視覚・聴覚障害者が理解できるような配置とすることにより、ＳＴＢ内の画像データ・音声データ・テキストデータを表示して、情報の検索を可能とする。
【実施例】
【００１３】駅出入口に設置することにより、障害者が情報案内盤を起点に駅周辺の行動の助けとなる。またコンビニエンスストアーやショッピングモールでの案内など用途はかなり多い。
【産業上の利用可能性】
【００１４】ユニバーサルデザイン触知情報案内盤として、障害者に優しい街創りの観点から、移動交通機関駅・バス停や街中のコンビニエンスストアー、大型ショッピングモールなど設置場所の候補は多岐にわたります。
【符号の説明】
【００１５】ＳＴＢ・・セットトップボックス専用のパソコンボードシステム
【図１】
0003162693.tif 000003
【図２】
0003162693.tif 000004
【図３】
0003162693.tif 000005
【図４】
0003162693.tif 000006
【図５】
0003162693.tif 000007
【図６】
0003162693.tif 000008
【手続補正書】
【提出日】平成22年3月1日(2010.3.1)
【手続補正１】
【補正対象書類名】実用新案登録請求の範囲
【補正対象項目名】全文
【補正方法】変更
【補正の内容】
【実用新案登録請求の範囲】
【請求項１】
ユニバーサルデザイン触知情報案内盤は、画像データ・音声データ・テキストデータを保有するセットトップボックスに接続された、タッチパネルディスプレイと点字触知用メイクスイッチボードと前記メイクスイスイチボード用スイッチコントローラーとアンプとスピーカーと音声誘導装置と他のディスプレイとネットワーク機器が接続された、情報案内盤であり、前記タッチパネルディスプレイは近隣の地図情報をベース画面として、地図データ画面を前記タッチパネルディスプレイのタッチ機能で、前記セットトップボックス内の画像データや音声データやテキストデータを前記タッチパネルディスプレイ内に表示し、また他の前記ディスプレイにも表示出来、前記スピーカーを稼動させ、また前記メイクスイッチボードも同様にパネルの点字の検索を用いて、前記セットトップボックス内の情報を呼び出して表示が出来る情報案内盤で、視覚障害者がＤＴＭＦ小型送信装置で稼動する、前記音声誘導装置で情報案内盤の設置位置の情報を得られ、前記タッチパネルディスプレイと前記メイクスイッチパネルで検索した情報を、前記スピーカーと前記タッチパネルディスプレイと前記他のディスプレイに前記セットトップボックス内に収納しているデータを表示が出来る、ユニバーサルデザイン触知情報案内盤。
【請求項２】
請求項１記載の前記ユニバーサルデザイン触知情報案内盤は、前記タッチパネルディスプレイと前記メイクスイッチボードを使用することで、視覚障害者には触知用前記メイクスイッチボードで音声のコンテンツの内容を前記スピーカーから、前記セットトップボックス内の音声情報を検索して情報を得られ、聴覚障害者は前記タッチパネルディスプレイ内の検索項目から前記セットトップボックス内の情報を検索して視覚的に前記タッチパネルディスプレイで確認が出来る、また外国人には前記タッチパネルディスプレイ内の外国語選択項目と前記メイクスイッチボードの外国語選択スイッチで、前記セットトップボックス内の、外国語データを外国語での表示が出来ることを特徴とする請求項１記載のユニバーサルデザイン触知情報案内盤。
【請求項３】
前記ユニバーサルデザイン触知情報案内盤のデータ更新は、前記セットトップボックスに接続された、ネットワーク機器により音声データ・画像データ・静止画データ・テキストデータをそれぞれ、ネットワークで変更更新を可能とする、また前記セットトップボックスに直接ＵＳＢフラッシュメモリーでの変更更新も可能とすることを特徴とする請求項１記載のユニバーサルデザイン触知情報案内盤。
【手続補正２】
【補正対象書類名】明細書
【補正対象項目名】０００９
【補正方法】変更
【補正の内容】
【０００９】本考案はタッチパネルディスプレイとメイクスイッチパネルを連動させ、ＳＴＢ（セットトップボックス）でデータの検索表示入れ替えが出来るシステムです。
【手続補正書】
【提出日】平成22年6月15日(2010.6.15)
【手続補正１】
【補正対象書類名】実用新案登録請求の範囲
【補正対象項目名】全文
【補正方法】変更
【補正の内容】
【実用新案登録請求の範囲】
【請求項１】
ユニバーサルデザイン触知情報案内盤は、画像データ・音声データ・テキストデータを保有するセットトップボックスに接続された、タッチパネルディスプレイと点字触知用メイクスイッチパネルと前記メイクスイッチパネル用スイッチコントローラーとアンプとスピーカーと音声誘導装置と他のディスプレイとネットワーク機器が接続された、情報案内盤であり、前記タッチパネルディスプレイは近隣の地図情報をベース画面として、地図データ画面を前記タッチパネルディスプレイのタッチ機能で、前記セットトップボックス内の画像データや音声データやテキストデータを前記タッチパネルディスプレイ内に表示し、また前記他のディスプレイにも表示出来、前記スピーカーを稼動させ、また前記メイクスイッチパネルも同様に前記メイクスイッチパネルの点字の検索を用いて、前記セットトップボックス内の情報を呼び出して表示が出来る情報案内盤で、視覚障害者がＤＴＭＦ小型送信装置で稼動する、前記音声誘導装置で情報案内盤の設置位置の情報を得られ、前記タッチパネルディスプレイと前記メイクスイッチパネルで検索した情報を、前記スピーカーと前記タッチパネルディスプレイと前記他のディスプレイに前記セットトップボックス内に収納しているデータを表示が出来る、ユニバーサルデザイン触知情報案内盤。
【請求項２】
請求項１記載の前記ユニバーサルデザイン触知情報案内盤は、前記タッチパネルディスプレイと前記メイクスイッチパネルを使用することで、視覚障害者には触知用前記メイクスイッチパネルで音声のコンテンツの内容を前記スピーカーから、前記セットトップボックス内の音声情報を検索して情報を得られ、聴覚障害者は前記タッチパネルディスプレイ内の検索項目から前記セットトップボックス内の情報を検索して視覚的に前記タッチパネルディスプレイで確認が出来る、また外国人には前記タッチパネルディスプレイ内の外国語選択項目と前記メイクスイッチパネルの外国語選択スイッチで、前記セットトップボックス内の、外国語データを外国語での表示が出来ることを特徴とする請求項１記載のユニバーサルデザイン触知情報案内盤。
【請求項３】
前記ユニバーサルデザイン触知情報案内盤のデータ更新は、前記セットトップボックスに接続された、ネットワーク機器により音声データ・画像データ・静止画データ・テキストデータをそれぞれ、ネットワークで変更更新を可能とする、また前記セットトップボックスに直接ＵＳＢフラッシュメモリーでの変更更新も可能とすることを特徴とする請求項１記載のユニバーサルデザイン触知情報案内盤。
【手続補正２】
【補正対象書類名】明細書
【補正対象項目名】０００９
【補正方法】変更
【補正の内容】
【０００９】本考案はタッチパネルディスプレイとメイクスイッチパネルを連動させ、ＳＴＢ（セットトップボックス）でデータの検索表示入れ替えが出来るシステムです。